(57)【要約】【課題】マスターケースからの取り出しが容易であり、強度や密閉性にも優れた簡易な構成の個装ケースを提供する。【解決手段】開閉用指掛け穴８に指を差し入れて蓋板２を上方向に引き上げると、蓋板２に連なる差し込み片３も上方向に引き上げられる。その結果、蓋板固定片５の幅狭部５ｂのスリット９に対する係合位置が挿入部９ａからガイド部９ｂに移動し、さらにガイド部９ｂに沿ってガイド部９ｂの下端部まで移動する。これにより、蓋板２はガイド部９ｂの下端部と蓋板固定片５の幅狭部５ｂとが係合する位置で所定角度だけ開いた状態に保持されるため、蓋板２の両端部に形成された把持用指掛け穴１０に指を掛けてマスターケース１０１に収容された個装ケース１００を容易に取り出すことができる。【選択図】図５
2012025460.tif 000002
【特許請求の範囲】
【請求項１】
少なくとも一面が開口した箱体と、
該箱体の開口縁の一辺に延設される開閉可能な蓋板と、
該蓋板の端部を折り曲げて形成され前記開口縁に差し込むことにより前記蓋板を閉状態に保持する差し込み片と、
該差し込み片と重なる前記箱体の側面に設けられ、前記差し込み片に形成されるスリットに挿入される蓋板固定片と、
を有する個装ケースにおいて、
前記蓋板固定片は、前記スリットに挿入される幅広部と、該幅広部の基端部に形成される幅狭部とを有し、
前記スリットは、前記幅広部と略同一の幅を有する挿入部と、該挿入部の下方に連続して形成される前記幅狭部と略同一の幅を有するガイド部と、を有することを特徴とする個装ケース。
【請求項２】
前記蓋板の、前記蓋体を開閉する際の折り線と平行な方向の両端縁に、把持用指掛け穴が形成されることを特徴とする請求項１に記載の個装ケース。
【請求項３】
前記蓋板の外表面には、前記把持用指掛け穴を繋ぐように前記蓋体を開閉する際の折り線と略平行な山折り線が形成されることを特徴とする請求項２に記載の個装ケース。
【発明の詳細な説明】
【技術分野】
【０００１】
本発明は、製品等を梱包する包装ケースに関し、特に、大型の外ケースに複数個梱包される個装用の包装ケースに関するものである。
【背景技術】
【０００２】
従来、小型の電機製品や精密機器本体、或いは交換部品等の被梱包物を梱包して出荷する際、被梱包物を個装した包装ケース（以下、個装ケースという）を大型の外ケース（以下、マスターケースという）に複数個収納して出荷している。このとき、輸送中におけるマスターケース内の個装ケースのガタツキ等を防止するとともに、輸送効率や保管時の積載効率を高めるために、通常は個装ケースをマスターケース内に隙間なく整列させて収納している。
【０００３】
しかし、マスターケースを開梱して個装ケースを取り出す際に、個装ケースが隙間なく収納されていると、最初の１箱（複数段積載されている場合は各段の最初の１箱）を取り出す際に手指を掛ける部分がなく、開梱時の作業性が低下するとともに、無理に取り出そうとすると個装ケースを破損したり、手指に思わぬ負荷がかかったりするという問題点があった。
【０００４】
そこで、マスターケースからの取り出し性を向上させた個装ケースが種々提案されており、例えば特許文献１には、箱の上面側に位置する左右の角部に、角部に連なる２つの面にわたって２本の平行な切り込み線を設け、切り込み線の間の部分を内側に押し込むことで指挿入部を形成するようにした梱包用内装箱が開示されている。
【０００５】
また、特許文献２には、個装カートンの上面フラップの両側に稜線に連続するコの字状のミシン目で囲まれた切り起こし部と、切り起こし部の内側に抜き穴からなる手掛け部とを有する把手部を備えた構成が開示されている。さらに特許文献３には、内フラップの一部を切り離してピックアップ部材を形成するとともに、天板にピックアップ部材を差し込む切り込みを設けた構成が開示されている。
【先行技術文献】
【特許文献】
【０００６】
【特許文献１】実開平６−１０１１７号公報
【特許文献２】実開平７−３１６１３号公報
【特許文献３】特開平１１−７９１６０号公報
【発明の概要】
【発明が解決しようとする課題】
【０００７】
しかしながら、特許文献１の方法では角部に切り込みが形成されているため、角部の強度が低下するという問題点があった。また、特許文献２の方法ではミシン目を破断して把手部を形成した後は上面フラップに穴が開いてしまい、個装ケースとして再利用できないという問題点があった。一方、特許文献３の方法では梱包時にピックアップ部材を天板の切り込みに差し込む必要が生じ、梱包作業が繁雑になるとともに個装ケースの見栄えも悪くなる。
【０００８】
本発明は、上述の問題点に鑑み、マスターケースからの取り出しが容易であり、強度や密閉性にも優れた簡易な構成の個装ケースを提供することを目的とする。
【課題を解決するための手段】
【０００９】
上記目的を達成するために本発明は、少なくとも一面が開口した箱体と、該箱体の開口縁の一辺に延設される開閉可能な蓋板と、該蓋板の端部を折り曲げて形成され前記開口縁に差し込むことにより前記蓋板を閉状態に保持する差し込み片と、該差し込み片と重なる前記箱体の側面に設けられ、前記差し込み片に形成されるスリットに挿入される蓋板固定片と、を有する個装ケースにおいて、前記蓋板固定片は、前記スリットに挿入される幅広部と、該幅広部の基端部に形成される幅狭部と、を有し、前記スリットは、前記幅広部と略同一の幅を有する挿入部と、該挿入部の下方に連続して形成される前記幅狭部と略同一の幅を有するガイド部と、を有することを特徴としている。
【００１０】
また本発明は、上記構成の個装ケースにおいて、前記蓋板の、前記蓋体を開閉する際の折り線と平行な方向の両端縁に、把持用指掛け穴が形成されることを特徴としている。
【００１１】
また本発明は、上記構成の個装ケースにおいて、前記蓋板の外表面には、前記把持用指掛け穴を繋ぐように前記蓋体を開閉する際の折り線と略平行な山折り線が形成されることを特徴としている。
【発明の効果】
【００１２】
本発明の第１の構成によれば、蓋板固定片の幅広部がスリットの挿入部に挿入された状態で蓋板を引き上げることにより、蓋板固定片の幅狭部がスリットのガイド部の下端に係合して蓋板が所定角度だけ開いた状態で保持されるため、箱体と蓋板との間に指を差し入れてマスターケースに整列状態で収容された個装ケースの最初の１箱を容易に取り出すことができる。
【００１３】
また、本発明の第２の構成によれば、上記第１の構成の個装ケースにおいて、蓋板の、蓋体を開閉する際の折り線と平行な方向の両端縁に、把持用指掛け穴を形成することにより、把持用指掛け穴に指を掛けてマスターケースに整列状態で収容された個装ケースを容易に持ち上げることができる。
【００１４】
また、本発明の第３の構成によれば、上記第２の構成の個装ケースにおいて、蓋板の外表面に、把持用指掛け穴を繋ぐように蓋体を開閉する際の折り線と略平行な山折り線を形成することにより、把持用指掛け穴に指を掛けて個装ケースを持ち上げたとき、蓋板が山折り線に沿って山形状に屈曲する。この屈曲部が梁の役割を果たすため、個装ケースが細長い箱であっても蓋板の端縁が折れ曲がったり、箱体との連結部分が破断したりするおそれがなくなる。
【図面の簡単な説明】
【００１５】
【図１】本発明の個装ケースの蓋板２を開放した状態を示す斜視図
【図２】図１におけるスリット９付近の部分拡大図
【図３】図１における蓋板固定片５付近の部分拡大図
【図４】本発明の個装ケースの蓋板２が閉じられた状態を示す正面図
【図５】図４の状態から蓋板２を引き上げた状態を示す正面図
【図６】図５における蓋板固定片５付近の部分断面図
【図７】複数の個装ケースが整列して収容されたマスターケースから最初の１箱を取り出す状態を示す斜視図
【発明を実施するための形態】
【００１６】
以下、図面を参照しながら本発明の実施形態について説明する。図１は、本発明の個装ケースの一構成例を示す斜視図である。個装ケース１００は、上面が開口した箱体１と、箱体１の開口端の一辺に延設された蓋板２と、蓋板２の一端を折り曲げて形成された差し込み片３とを有し、蓋板２を閉じたとき差し込み片３を箱体１の開口４の内側に差し込むことにより、蓋板２を閉状態に保持可能となっている。
【００１７】
箱体１には蓋板２をロックするための蓋板固定片５が設けられており、蓋板２と差し込み片３の境界部を挟んで蓋板２側には蓋板２を引き上げるための略矩形状の開閉用指掛け穴８が形成され、差し込み片３側には蓋板固定片５が挿入されるスリット９が穿設されている。また、蓋板２の長手方向（箱体１と蓋板２との境界の折り線に対し平行な方向）の両端縁には半円形の把持用指掛け穴１０が設けられており、蓋板２の外表面には把持用指掛け穴１０を繋ぐように、箱体１と蓋板２との境界の折り線と略平行な山折り線１１が形成されている。
【００１８】
図２は、図１におけるスリット９付近の部分拡大図であり、図３は、図１における蓋板固定片５付近の部分拡大図である。図２に示すように、スリット９は蓋板固定片５が挿入される挿入部９ａと、挿入部９ａの下方に連続するガイド部９ｂとを有する。図３に示すように、蓋板固定片５は折り線１３によりＬ字状に折り曲げ可能となっており、折り線１３から先端までの部分が挿入部９ａに挿入される幅広部５ａである。幅広部５ａの基端部には折り線１３を跨ぐように幅狭部５ｂが形成されている。
【００１９】
挿入部９ａの長さＬ１は、幅広部５ａを挿入できるように、幅広部５ａの幅Ｗ１と略同一に形成されている。また、ガイド部９ｂの長さＬ２は、幅狭部５ｂの幅Ｗ２と略同一に形成されている。
【００２０】
図４は、蓋板２が閉じられた状態を示す個装ケースの正面図である。なお、説明の便宜のため、図４及び後述する図５、図６では蓋板固定片５にハッチングを付している。蓋板固定片５の幅広部５ａがスリット９の挿入部９ａに挿入されることにより、蓋板２が閉状態に保持される。
【００２１】
図５は、図４の状態から蓋板２を引き上げた状態を示す正面図であり、図６は、図５における蓋板固定片５付近の部分断面図（図５のＡＡ′矢視断面図）である。開閉用指掛け穴８に指を差し入れて蓋板２を上方向に引き上げると、蓋板２に連なる差し込み片３も上方向に引き上げられる。その結果、蓋板固定片５の幅狭部５ｂのスリット９に対する係合位置が挿入部９ａからガイド部９ｂに移動し、さらにガイド部９ｂに沿ってガイド部９ｂの下端部まで移動する。即ち、蓋板２はガイド部９ｂの分だけ上下に移動可能となっており、図５及び図６に示すように、蓋板２はガイド部９ｂの下端部と蓋板固定片５の幅狭部５ｂとが係合する位置で所定角度だけ開いた状態に保持される。
【００２２】
図７は、マスターケースに整列して収容された複数（ここでは３箱）の個装ケースのうち、最初の１箱を取り出す状態を示す斜視図である。図５及び図６に示したように、開閉用指掛け穴８に指を差し入れて蓋板２を引き上げ、半開き状態に保持した後、図７に示すように、蓋板２の長手方向両端部の把持用指掛け穴１０に指を掛けて個装ケース１００を持ち上げる。これにより、マスターケース１０１内に隙間無く収容された個装ケース１００を容易に取り出すことができる。
【００２３】
そして、個装ケース１００内から被梱包物を取り出す際は、図４のように蓋板２を完全に閉じた状態で蓋板固定片５をスリット９の挿入部９ａから引き抜き、開閉用指掛け穴８に指を掛けて蓋板２を引き上げることにより、図１のように箱体１の開口４が広く開放されて被梱包物の取り出しが可能となる。
【００２４】
また、蓋板２には把持用指掛け穴１０を繋ぐように長手方向に沿って山折り線１１が形成されているため、個装ケース１００を取り出す際の負荷が大きい場合は蓋板２が山折り線１１に沿って山形状に屈曲する。この屈曲部が梁の役割を果たすため、個装ケース１００が細長い箱であっても蓋板２の長手方向の端縁が折れ曲がったり、箱体１と蓋板２との連結部分が破断したりすることなく、個装ケース１００を円滑に取り出すことができる。
【００２５】
蓋板２を引き上げた時の開放角度は特に制限はないが、開放角度が小さすぎると把持用指掛け穴１０に指を差し入れることができず、開放角度が大きすぎると蓋板２を持ち上げにくくなる。そのため、把持用指掛け穴１０に円滑に指を差し入れることができる角度が好ましい。
【００２６】
その他本発明は、上記実施形態に限られるものではなく、本発明の趣旨を逸脱しない範囲で種々の変更が可能である。例えば、一対の底板と一対の底フラップを係合させて底面を形成するＢ式タイプや、矩形状の底板の四辺に連設された側板を上方に折り曲げるＡ式タイプ等、種々の組み立て方式の個装ケースに適用できる。
【産業上の利用可能性】
【００２７】
本発明は、マスターケース内に整列状態で複数収容される個装ケースに利用可能である。本発明の利用により、マスターケースからの取り出しが容易であり、強度や密閉性にも優れた簡易な構成の個装ケースを提供することができる。
【符号の説明】
【００２８】
１              箱体
２              蓋板
３              差し込み片
４              開口
５              蓋板固定片
５ａ            幅広部
５ｂ            幅狭部
８              開閉用指掛け穴
９              スリット
９ａ            挿入部
９ｂ            ガイド部
１０            把持用指掛け穴
１１            山折り線
１００          個装ケース
１０１          マスターケース
【図１】
2012025460.tif 000003
【図２】
2012025460.tif 000004
【図３】
2012025460.tif 000005
【図４】
2012025460.tif 000006
【図５】
2012025460.tif 000007
【図６】
2012025460.tif 000008
【図７】
2012025460.tif 000009